(57)【特許請求の範囲】
【請求項１】
Ｘ線管と、前記Ｘ線管から照射され被検者を通過したＸ線を検出するＸ線検出器と、前
記Ｘ線検出器をＸ線撮影が可能な撮影モードと消費電力が小さい省電力モードとに切り替
えるモード切替部と、を備えるＸ線撮影装置において、
前記モード切替部は、ネットワークから撮影オーダ情報を受信した後に、前記Ｘ線検出
器の前記省電力モードから前記撮影モードへの切替を可能とし、ネットワークに撮影デー
タを送信した後に、前記Ｘ線検出器を前記撮影モードから前記省電力モードに切り替える
とともに、前記Ｘ線検出器の前記省電力モードから前記撮影モードへの切替を禁止するＸ
線撮影装置。
【請求項２】
Ｘ線管と、前記Ｘ線管から照射され被検者を通過したＸ線を検出するＸ線検出器と、前
記Ｘ線検出器をＸ線撮影が可能な撮影モードと消費電力が小さい省電力モードとに切り替
えるモード切替部と、を備えるＸ線撮影装置において、
前記Ｘ線管から照射されたＸ線の照射野を制限するためのコリメータ機構を備え、
前記モード切替部は、当該コリメータ機構におけるコリメータリーフの移動操作が実行
されたときに、前記Ｘ線検出器を前記省電力モードから前記撮影モードに切り替えるＸ線
撮影装置。
【請求項３】
Ｘ線管と、前記Ｘ線管から照射され被検者を通過したＸ線を検出するＸ線検出器と、前
記Ｘ線検出器をＸ線撮影が可能な撮影モードと消費電力が小さい省電力モードとに切り替
えるモード切替部と、を備えるＸ線撮影装置において、
前記Ｘ線検出器を収納するブッキー部を備え、
前記モード切替部は、当該ブッキー部の移動操作が実行されたときに、前記Ｘ線検出器
を前記省電力モードから前記撮影モードに切り替えるＸ線撮影装置。
【請求項４】
Ｘ線管と、前記Ｘ線管から照射され被検者を通過したＸ線を検出するＸ線検出器と、前
記Ｘ線検出器をＸ線撮影が可能な撮影モードと消費電力が小さい省電力モードとに切り替
えるモード切替部と、を備えるＸ線撮影装置において、
前記被検者を載置する天板を備え、
前記モード切替部は、当該天板の移動操作が実行されたときに、前記Ｘ線検出器を前記
省電力モードから前記撮影モードに切り替えるＸ線撮影装置。
【請求項５】
請求項１から請求項４のいずれかに記載のＸ線撮影装置において、
前記Ｘ線管を移動可能に支持するＸ線管支持部を備え、
前記モード切替部は、前記Ｘ線管支持部に対するＸ線管の移動操作が実行されたときに
、前記Ｘ線検出器を前記省電力モードから前記撮影モードに切り替えるＸ線撮影装置。
【請求項６】
請求項１から請求項４のいずれかに記載のＸ線撮影装置において、
前記Ｘ線管から照射されたＸ線の照射野を制限するためのコリメータ機構を備え、
前記モード切替部は、当該コリメータ機構におけるコリメータランプの点灯操作が実行
されたときに、前記Ｘ線検出器を前記省電力モードから前記撮影モードに切り替えるＸ線
撮影装置。
【請求項７】
請求項１から請求項４のいずれかに記載のＸ線撮影装置において、
前記Ｘ線管における陽極の回転を開始させるための曝射準備開始スイッチを備え、
前記モード切替部は、当該曝射準備開始スイッチの操作が実行されたときに、前記Ｘ線
検出器を前記省電力モードから前記撮影モードに切り替えるＸ線撮影装置。
【請求項８】
請求項１から請求項４のいずれかに記載のＸ線撮影装置において、
前記Ｘ線検出器は、バッテリーを内蔵したワイヤレス式のフラットパネルディテクタで
あるＸ線撮影装置。
【発明の詳細な説明】
【技術分野】
【０００１】
この発明は、Ｘ線管と、Ｘ線管から照射され被検者を通過したＸ線を検出するＸ線検出
器と、Ｘ線検出器をＸ線撮影が可能な撮影モードと消費電力が小さい省電力モードとに切
り替えるモード切替部と、を備えるＸ線撮影装置に関する。
【背景技術】
【０００２】
Ｘ線管から照射され被検者を通過したＸ線をＸ線検出器で検出するＸ線撮影装置におい
ては、近年の省エネルギーの観点から、Ｘ線検出器を、Ｘ線撮影が可能な撮影モードと消
費電力が小さい省電力モードとで切替可能とする省電力型のものとすることが要請されて
いる。
【０００３】
また、近年、Ｘ線検出器として、バッテリーを内蔵したワイヤレス式のフラットパネル
ディテクタが使用されている。このワイヤレス式のフラットパネルディテクタは、可搬型
Ｘ線検出器とも呼称されるものであり、ケーブルが不要となることから自在な位置決めが
可能であり、操作性を向上させることができるという特徴を有する。しかしながら、この
ようなワイヤレス式のフラットパネルディテクタは、バッテリーの蓄電容量の関係から、
撮影可能枚数に制限がある。このため、このようなワイヤレス式のフラットパネルディテ
クタを使用するＸ線撮影装置は、電源ケーブルから電源が供給される一般のＸ線検出器を
使用する場合以上に、省電力型のものとすることが要請されている。
【０００４】
特許文献１には、検査スケジュールデータに基づいて、稼働モードから待機モードへの
切替を制御する電源制御部を備えたＸ線コンピュータ断層撮影装置が開示されている。ま
た、特許文献２には、撮影オーダ情報を送信するときにあわせて覚醒信号を送信すること
により、可搬型放射線画像撮影装置の電力供給モードをスリープモードから撮影可能モー
ドに切り替える放射線画像撮影システムが開示されている。
【先行技術文献】
【特許文献】
【０００５】
【特許文献１】特開２０１２−３４７９１号公報
【特許文献２】特開２０１１−１０４０８６号公報
【発明の開示】
【発明が解決しようとする課題】
【０００６】
しかしながら、Ｘ線撮影が検査スケジュールどおりに開始できるとは限らず、また、撮
影オーダ情報の送信後にすぐにＸ線撮影が開始し得るわけではない。すなわち、被検者が
Ｘ線撮影室に入室するまでに長い時間を要したり、被検者が撮影台の上に乗り、あるいは
、撮影姿勢となるまでに、比較的長い時間を要する場合がある。このような場合には、余
分な電力が消費されることになる。特に、Ｘ線検出器としてワイヤレス式のフラットパネ
ルディテクタを使用した場合には、稼働モードとなっている間にバッテリーの蓄電量が減
少してしまい、撮影可能枚数が減少してしまうという問題が生ずる。
【０００７】
この発明は上記課題を解決するためになされたものであり、電力の消費を大幅に抑制す
ることが可能なＸ線撮影装置を提供することを目的とする。
【課題を解決するための手段】
【０００８】
請求項１に記載の発明は、Ｘ線管と、前記Ｘ線管から照射され被検者を通過したＸ線を
検出するＸ線検出器と、前記Ｘ線検出器をＸ線撮影が可能な撮影モードと消費電力が小さ
い省電力モードとに切り替えるモード切替部と、を備えるＸ線撮影装置において、前記モ
ード切替部は、ネットワークから撮影オーダ情報を受信した後に、前記Ｘ線検出器の前記
省電力モードから前記撮影モードへの切替を可能とし、ネットワークに撮影データを送信
した後に、前記Ｘ線検出器を前記撮影モードから前記省電力モードに切り替えるとともに
、前記Ｘ線検出器の前記省電力モードから前記撮影モードへの切替を禁止する。
【０００９】
請求項２に記載の発明は、Ｘ線管と、前記Ｘ線管から照射され被検者を通過したＸ線を
検出するＸ線検出器と、前記Ｘ線検出器をＸ線撮影が可能な撮影モードと消費電力が小さ
い省電力モードとに切り替えるモード切替部と、を備えるＸ線撮影装置において、前記Ｘ
線管から照射されたＸ線の照射野を制限するためのコリメータ機構を備え、前記モード切
替部は、当該コリメータ機構におけるコリメータリーフの移動操作が実行されたときに、
前記Ｘ線検出器を前記省電力モードから前記撮影モードに切り替える。
【００１０】
請求項３に記載の発明は、Ｘ線管と、前記Ｘ線管から照射され被検者を通過したＸ線を
検出するＸ線検出器と、前記Ｘ線検出器をＸ線撮影が可能な撮影モードと消費電力が小さ
い省電力モードとに切り替えるモード切替部と、を備えるＸ線撮影装置において、前記Ｘ
線検出器を収納するブッキー部を備え、前記モード切替部は、当該ブッキー部の移動操作
が実行されたときに、前記Ｘ線検出器を前記省電力モードから前記撮影モードに切り替え
る。
【００１１】
請求項４に記載の発明は、Ｘ線管と、前記Ｘ線管から照射され被検者を通過したＸ線を
検出するＸ線検出器と、前記Ｘ線検出器をＸ線撮影が可能な撮影モードと消費電力が小さ
い省電力モードとに切り替えるモード切替部と、を備えるＸ線撮影装置において、前記被
検者を載置する天板を備え、前記モード切替部は、当該天板の移動操作が実行されたとき
に、前記Ｘ線検出器を前記省電力モードから前記撮影モードに切り替える。
【００１２】
請求項５に記載の発明は、請求項１から請求項４のいずれかに記載の発明において、前
記Ｘ線管を移動可能に支持するＸ線管支持部を備え、前記モード切替部は、前記Ｘ線管支
持部に対するＸ線管の移動操作が実行されたときに、前記Ｘ線検出器を前記省電力モード
から前記撮影モードに切り替える。
【００１３】
請求項６に記載の発明は、請求項１から請求項４のいずれかに記載の発明において、前
記Ｘ線管から照射されたＸ線の照射野を制限するためのコリメータ機構を備え、前記モー
ド切替部は、当該コリメータ機構におけるコリメータランプの点灯操作が実行されたとき
に、前記Ｘ線検出器を前記省電力モードから前記撮影モードに切り替える。
【００１４】
請求項７に記載の発明は、請求項１から請求項４のいずれかに記載の発明において、前
記Ｘ線管における陽極の回転を開始させるための曝射準備開始スイッチを備え、前記モー
ド切替部は、当該曝射準備開始スイッチの操作が実行されたときに、前記Ｘ線検出器を前
記省電力モードから前記撮影モードに切り替える。
【００１５】
請求項８に記載の発明は、請求項１から請求項４のいずれかに記載の発明において、前
記Ｘ線検出器は、バッテリーを内蔵したワイヤレス式のフラットパネルディテクタである
。
【発明の効果】
【００１６】
請求項１から請求項８に記載の発明によれば、Ｘ線撮影操作が実行されたときにＸ線検
出器を省電力モードから撮影モードに切り替えることから、実際にＸ線撮影を実行する直
前まで省電力モードを維持することができ、電力の消費を抑制することが可能となる。
【００１７】
請求項１に記載の発明によれば、ネットワークとのやり取りの情報に基づいて、実際に
はＸ線撮影が実行されないにもかかわらずＸ線検出器が省電力モードから撮影モードに切
り替えられることを防止することが可能となる。
【００１８】
請求項８に記載の発明によれば、内蔵したバッテリーを利用して駆動する、特に省電力
が要請されるワイヤレス式のフラットパネルディテクタに対して、電力の消費を抑制する
ことが可能となる。
【図面の簡単な説明】
【００１９】
【図１】この発明に係るＸ線撮影装置の概要図である。
【図２】この発明に係るＸ線撮影装置におけるＸ線管支持部４およびＸ線撮影台３の    斜視図である。
【図３】この発明に係るＸ線撮影装置の主要な制御系を示すブロック図である。
【図４】高電圧装置２の概要図である。
【図５】ハンドスイッチ２３の概要図である。
【図６】Ｘ線管４２の概要図である。
【図７】コリメータ機構４３の概要図である。
【図８】永電磁石の概要図である。
【図９】操作部４１の正面図である。
【発明を実施するための形態】
【００２０】
以下、この発明の実施の形態を図面に基づいて説明する。図１は、この発明に係るＸ線
撮影装置の概要図である。また、図２は、この発明に係るＸ線撮影装置におけるＸ線撮影
台３およびＸ線管支持部４の斜視図である。さらに、図３は、この発明に係るＸ線撮影装
置の主要な制御系を示すブロック図である。
【００２１】
この発明に係るＸ線撮影装置は、操作者がＸ線撮影操作を実行するための操作室１０１
に設置されたコンソール部１および高電圧装置２と、被検者に対して撮影を行うための撮
影室１００に設置されたＸ線撮影台３およびＸ線管支持部４とを備える。撮影室１００と
操作室１０１とは、隔壁１０２により遮断されている。
【００２２】
操作室１０１に設置されたコンソール部１は、タッチパネル式の液晶表示器から構成さ
れる表示部を備えた操作パネル１１を有する。また、図３に示すように、このコンソール
部１は、Ｘ線撮影操作が実行されたときにフラットパネルディテクタ３８を省電力モード
から撮影モードに切り替える、後述するモード切替部１２を備える。このコンソール部１
は、病院内の被検者管理システムの院内通信である院内ネットワーク１０３と接続されて
いる。
【００２３】
図４は、高電圧装置２の概要図である。
【００２４】
この高電圧装置２は、操作室１０１内において隔壁１０２に配設される。図３および図
４に示すように、高電圧装置２は、タッチパネル式の液晶表示器から構成される表示部２
２と入力ボタン２４と有する操作パネル２１と、Ｘ線管４２からのＸ線の照射を開始する
ためのハンドスイッチ２３とを備える。この高電圧装置２は、Ｘ線管４２の管電圧や管電
流、あるいは、Ｘ線照射時間等のＸ線の照射条件を設定するためのものである。この高電
圧装置２は、図３に示す制御部２５により制御される。
【００２５】
図５は、上述したハンドスイッチ２３の概要図である。
【００２６】
このハンドスイッチ２３は、オペレータが把持する把持部８６と、この把持部８６の一
端に配設された第１、第２スイッチ８４、８５を備える。これらの第１、第２スイッチ８
４、８５は、連続して２段階に押圧が可能なボタンとなっている。そして、第１スイッチ
８４が押圧されたときには、Ｘ線管４２における回転陽極が回転を開始する。また、第２
スイッチ８５が押圧されたときには、Ｘ線の曝射が開始される。この第１スイッチ８４は
、この発明に係る曝射準備開始スイッチとして機能する。また、第２スイッチ８５は、曝
射開始スイッチとして機能する。
【００２７】
図６は、上述したＸ線管４２の概要図である。
【００２８】
このＸ線管４２は、放射窓９７を有し、Ｘ線を遮蔽するために鉛が内張されたケーシン
グ９６を備える。このケーシング９６内には、真空排気されたガラスバルブ９１が配設さ
れている。このガラスバルブ９１内には、一対の図示を省略したフィラメントを有し、熱
電子Ａを発生させる陰極９２と、この陰極９２から放出された熱電子Ａを受けてＸ線Ｂを
発生する回転陽極（ターゲット）９３とが配設されている。この回転陽極９３は、モータ
ロータ９４と接続されている。このモータロータ９４は、ガラスバルブ９１の外部に配設
されたモータステータ９５により高速回転される。回転陽極９３から発生したＸ線Ｂは、
ケーシング９６に設けられた放射窓９７から放射される。
【００２９】
図５に示すハンドスイッチ２３における第１スイッチ８４が押圧されたときには、回転
陽極９３が回転を開始する。回転陽極９３が回転を開始して一定時間が経過し、回転陽極
９３の回転速度が所定の速度となった状態でハンドスイッチ２３における第２スイッチ８
５が押圧可能となる。そして、第２スイッチ８５が押圧されたときには、陰極９２から熱
電子Ａが放出され、Ｘ線Ｂが放射される。
【００３０】
図７は、上述したコリメータ機構４３の概要図である。
【００３１】
このコリメータ機構４３は、Ｘ線管４２から照射されたＸ線の照射野を規制するための
ものであり、矩形状のＸ線照射野を形成するための４枚のコリメータリーフ８３を備える
。なお、図７においては、互いに対向する一対のコリメータリーフ８３のみを図示してい
る。また、このコリメータ機構４３は、Ｘ線の照射領域内に配設されたミラー８２と、こ
のミラー８２と対向配置されたコリメータランプ８１とを備える。コリメータランプ８１
から照射された光は、ミラー８２に反射され、４枚のコリメータリーフ８３によりその照
射野を制限される。このコリメータランプ８１からの光の照射野を利用して、Ｘ線照射野
を確認することが可能となる。なお、コリメータランプ８１および４枚のコリメータリー
フ８３は、図３に示す操作パネル１１、２１、３２、４４のいずれかを操作することによ
り動作し、この動作は制御部４９により制御される。
【００３２】
再度、図１および図２を参照して、Ｘ線撮影台３は、被検者を載置する天板３１と、タ
ッチパネル式の液晶表示器から構成される表示部３５を備えた操作パネル３２と、その内
部にＸ線検出部としてのフラットパネルディテクタ３８（図３参照）を収納したブッキー
部３３と、天板３１およびブッキー部３３を昇降するための昇降部３４とを備える。ブッ
キー部３３は、図２に示すＧ方向に水平移動可能となっている。また、ブッキー部３３は
、天板３１とともに、図２に示すＦ方向に昇降可能となっている。なお、図３に示す永電
駆動部３６の作用により、上述したブッキー部３３の水平移動および昇降が制限される構
成となっている。このＸ線撮影台３におけるブッキー部３３および天板３１は、図３に示
す操作パネル３２を操作することにより移動する。この移動は、制御部３９により制御さ
れる。
【００３３】
なお、この実施形態においては、天板３１上の被検者を臥位状態で撮影するテーブル式
のＸ線撮影台３を採用しており、ブッキー部３３が図２に示すＧ方向に水平移動する構成
となっている。これに対して、被検者を立位状態で撮影するスタンド式の撮影台を使用し
た場合には、ブッキー部３３は昇降することになる。
【００３４】
ブッキー部３３に収納されたフラットパネルディテクタ３８は、図３に示すように、そ
の内部にバッテリー３０を内蔵した構成を有し、このバッテリー３０から供給された電力
によりＸ線の検出動作等を実行する。このフラットパネルディテクタ３８はワイヤレス方
式のものであり、図３において破線で示すように、コンソール部１と無線方式で接続され
ている。
【００３５】
図２に示すように、Ｘ線管支持部４は、撮影室１００の天井に対して互いに直交するＡ
方向およびＢ方向に移動可能な支持部６１と、この支持部６１から下方に延びる支持部６
２と、この支持部６２に対してＣ方向に昇降するともに、Ｄ方向に回動する移動部６３と
、この移動部６３の下端部に軸支され、操作部４１、Ｘ線管４２およびコリメータ機構４
３を一体としてＥ方向に回動させる支持軸６４とを備える。このため、Ｘ線管４２は、Ａ
、Ｂ、Ｃ、Ｄ、Ｅ方向に移動可能となっている。なお、図３に示す永電駆動部４７の作用
により、上述したＸ線管４２の移動が制限される構成となっている。このＸ線管支持部４
は、図３に示す制御部４８により制御される。
【００３６】
図８は、上述した永電駆動部３６、４７により制御される永電磁石の概要図である。
【００３７】
この永電磁石は、永久磁石７１と、鉄芯７２とこの鉄芯７２の回りに配設されたコイル
７３とから構成される電磁石とを備える。コイル７３に電流が流れていない状態では、こ
の永電磁石は永久磁石７１の作用により磁石としての機能を奏する。この場合には、永電
磁石がＸ線撮影台３やＸ線管支持部４に配設された図示しないブレーキ板に吸着すること
により制動力が生じ、ブッキー部３３やＸ線管４２の移動が制限されることになる。一方
、電磁石を構成するコイル７３に対して電流を印加して、永久磁石７１の磁力をキャンセ
ルする磁力を電磁石に発生させた場合には、永久磁石７１の作用による制動力が解除され
、ブッキー部３３やＸ線管４２の移動が可能となる。
【００３８】
図９は、Ｘ線管支持部４における操作部４１の正面図である。
【００３９】
この操作部４１は、Ｘ線管４２を移動させるためのハンドル４５と、操作パネル４４と
から構成される。操作パネル４４の中央部には、タッチパネル式の液晶表示器から構成さ
れる表示部４６が配設されている。また、この表示部４６の周囲には、永電駆動部４７に
解除信号を送信することにより図５に示す永電磁石による制動力をなくし、Ｘ線管４２の
移動の制限を解除するためのボタン５１、５２、５３、５４、５５、５６が配設されてい
る。ここで、ボタン５１が押圧された場合にはＸ線管４２のＥ方向の回動の制限が解除さ
れ、ボタン５２が押圧された場合にはＸ線管４２のＤ方向の回動の制限が解除され、ボタ
ン５３が押圧された場合にはＸ線管４２のＣ方向の昇降の制限が解除され、ボタン５４が
押圧された場合にはＸ線管４２のＡ方向の水平移動の制限が解除され、ボタン５５が押圧
された場合にはＸ線管４２のＢ方向の水平移動の制限が解除され、ボタン５６が押圧され
た場合にはＸ線管４２の全ての方向の移動の制限が解除される。
【００４０】
次に、上述したＸ線撮影装置によるＸ線撮影動作について説明する。
【００４１】
Ｘ線撮影のために装置が準備状態にあるときには、コンソール部１におけるモード切替
部１２の作用により、フラットパネルディテクタ３８は、バッテリー３０の消費電力が小
さい省電力モードとなっている。この省電力モードは、スリープモードあるいはスタンバ
イモードとも呼称されるモードであり、動作モードあるいはレディモードとも呼称される
撮影モードと対比されるモードである。この省電力モードにおいては、フラットパネルデ
ィテクタ３８とコンソール部１との通信周期が、例えば、５秒ごととなる。なお、撮影モ
ードにおいては、この通信周期は、例えば、２０ｍｓｅｃ毎となっている。また、この省
電力モードにおいては、撮影モードでは秒単位で実行されるバックグラウンドキャリブレ
ーションが停止される。さらに、この省電力モードにおいては、フラットパネルディテク
タ３８における制御用コンピュータのクロックが撮影モードより遅くなる。
【００４２】
このＸ線撮影装置によりＸ線撮影を開始するときには、最初に、コンソール部１が図３
に示す院内ネットワーク１０３からＸ線撮影の撮影オーダ情報を取得する。この撮影オー
ダ情報は、例えば、患者名、ＩＤ番号、性別、年齢、撮影すべき部位、撮影条件等のＸ線
撮影のための情報である。この撮影オーダ情報は、高電圧装置２に送信され、Ｘ線撮影時
の管電圧や管電流、あるいは、Ｘ線照射時間等が設定される。
【００４３】
コンソール部１がこの撮影オーダ情報を受信する前の状態においては、コンソール部１
におけるモード切替部１２は、フラットパネルディテクタ３８に対して省電力モードから
撮影モードへの切替を許可しない状態となっている。このため、実際にはＸ線撮影が実行
されないにもかかわらず、フラットパネルディテクタ３８が省電力モードから撮影モード
に切り替えられることを防止することができる。
【００４４】
一方、コンソール部１がこの撮影オーダ情報を受信したときには、コンソール部１にお
けるモード切替部１２が、フラットパネルディテクタ３８の省電力モードから撮影モード
への切替を可能とする。そして、モード切替部１２は、この状態において、Ｘ線撮影操作
が実行されたときに、フラットパネルディテクタ３８を省電力モードから撮影モードに切
り替える。
【００４５】
ここで、上述したＸ線撮影操作は、Ｘ線管支持部４に対するＸ線管４２の移動操作、コ
リメータ機構４３におけるコリメータリーフ８３の移動操作、コリメータ機構４３におけ
るコリメータランプ８１の点灯操作、Ｘ線撮影台３におけるブッキー部３３の移動操作、
Ｘ線撮影台３における天板３１の移動操作、高電圧装置２に対するＸ線撮影条件の入力操
作、高電圧装置２におけるハンドスイッチ２３の第１スイッチ８４の押圧操作のいずれか
である。これらのうちのいずれかの操作が実行されたときに、モード切替部１２がフラッ
トパネルディテクタ３８を省電力モードから撮影モードに切り替える。
【００４６】
すなわち、モード切替部１２は、オペレータがＸ線撮影を行うために、図３および図９
に示す操作パネル４４におけるＸ線管４２の移動の制限を解除するためのボタン５１、５
２、５３、５４、５５、５６のいずれか一つを押圧して、Ｘ線管支持部４に対するＸ線管
４２の移動操作を実行したときに、フラットパネルディテクタ３８を省電力モードから撮
影モードに切り替える。
【００４７】
また、モード切替部１２は、オペレータがＸ線撮影を行うために、図３および図９に示
す操作パネル４４を操作することにより、コリメータ機構４３におけるコリメータリーフ
８３の移動操作を実行したときに、フラットパネルディテクタ３８を省電力モードから撮
影モードに切り替える。また、モード切替部１２は、オペレータがＸ線撮影を行うために
、図３および図９に示す操作パネル４４を操作することにより、コリメータ機構４３にお
けるコリメータランプ８１の点灯操作を実行したときに、フラットパネルディテクタ３８
を省電力モードから撮影モードに切り替える。
【００４８】
また、モード切替部１２は、オペレータがＸ線撮影を行うために、図２および図３に示
す操作パネル３２を操作することにより、Ｘ線撮影台３におけるブッキー部３３の移動操
作を実行したときに、フラットパネルディテクタ３８を省電力モードから撮影モードに切
り替える。また、モード切替部１２は、オペレータがＸ線撮影を行うために、図２および
図３に示す操作パネル３２を操作することにより、Ｘ線撮影台３における天板３１の移動
操作を実行したときに、フラットパネルディテクタ３８を省電力モードから撮影モードに
切り替える。
【００４９】
また、モード切替部１２は、オペレータがＸ線撮影を行うために、図３および図４に示
す操作パネル２１を操作することにより、Ｘ線撮影条件の変更を行うために高電圧装置２
に対するＸ線撮影条件の入力操作を実行したときに、フラットパネルディテクタ３８を省
電力モードから撮影モードに切り替える。さらに、モード切替部１２は、オペレータがＸ
線撮影を行うために、図３および図４に示す操作パネル２１を操作することにより、高電
圧装置２のハンドスイッチ２３における第１スイッチ８４の操作を実行したときに、フラ
ットパネルディテクタ３８を省電力モードから撮影モードに切り替える。
【００５０】
このようにＸ線撮影操作が実行され、フラットパネルディテクタ３８が省電力モードか
ら撮影モードに切り替えられれば、Ｘ線撮影を実行する。必要なＸ線撮影が完了すれば、
コンソール部１は、院内ネットワーク１０３に対して、Ｘ線撮影が完了した後の撮影デー
タを送信する。モード切替部１２は、この撮影データの送信が完了したときには、フラッ
トパネルディテクタ３８を撮影モードから省電力モードに切り替えるとともに、フラット
パネルディテクタ３８の省電力モードから撮影モードへの切替を禁止する。これにより、
Ｘ線撮影が完了した後に、実際にはＸ線撮影が実行されないにもかかわらず、フラットパ
ネルディテクタ３８が省電力モードから撮影モードに切り替えられることを防止すること
ができる。
【００５１】
なお、上述した実施形態においては、フラットパネルディテクタ３８を省電力モードか
ら撮影モードに切り替えるためのＸ線撮影操作として、Ｘ線管支持部４に対するＸ線管４
２の移動操作、コリメータ機構４３におけるコリメータリーフ８３の移動操作、コリメー
タ機構４３におけるコリメータランプ８１の点灯操作、Ｘ線撮影台３におけるブッキー部
３３の移動操作、Ｘ線撮影台３における天板３１の移動操作、高電圧装置２に対するＸ線
撮影条件の入力操作、高電圧装置２におけるハンドスイッチ２３の第１スイッチ８４の押
圧操作を採用している。しかしながら、これらのＸ線撮影操作の全てを、フラットパネル
ディテクタ３８を省電力モードから撮影モードに切り替えるためのＸ線撮影操作として採
用する必要はない。これらのうちのいくつか、あるいは、一つのみを、フラットパネルデ
ィテクタ３８を省電力モードから撮影モードに切り替えるためのＸ線撮影操作として採用
してもよい。
【符号の説明】
【００５２】
１      コンソール部
２      高電圧装置
３      Ｘ線撮影台
４      Ｘ線管支持部
１１    操作パネル
１２    モード切替部
２１    操作パネル
２２    表示部
２３    ハンドスイッチ
２４    スイッチ
２５    制御部
３１    天板
３２    操作パネル
３３    ブッキー部
３４    昇降部
３６    永電駆動部
３９    制御部
４１    操作部
４２    Ｘ線管
４４    操作パネル
４５    ハンドル
４６    表示部
４７    永電駆動部
４８    制御部
７１    永電磁石
７２    鉄心
７３    コイル
８１    コリメータランプ
８３    コリメータリーフ
８４    第１スイッチ
８５    第２スイッチ
９３    回転陽極
１００  撮影室
１０１  操作室
１０３  院内ネットワーク
【図１】
0006103033.tif 000002
【図２】
0006103033.tif 000003
【図３】
0006103033.tif 000004
【図４】
0006103033.tif 000005
【図５】
0006103033.tif 000006
【図６】
0006103033.tif 000007
【図７】
0006103033.tif 000008
【図８】
0006103033.tif 000009
【図９】
0006103033.tif 000010